(57)【要約】【課題】挟みバネの種類を増加させることなく、クリップが挟む力を調整する。【解決手段】外周面後部に枢支部１４が形成された筒体１０と、筒体１０に沿って設けられ枢支部１４に枢支される被枢支部２３が形成され枢支部１４に枢支された被枢支部２３を支点Ｃとして揺動するクリップ２０と、筒体１０に取付けられクリップ２０の被枢支部２３よりも前側の表面に当接部３４を当接させた挟みバネ３０とを備える。挟みバネ３０は弾性により当接部３４が当接する部分を力点Ｆとしてクリップ２０を筒体１０に押圧する。挟みバネ３０は筒体１０の軸方向に移動して支点Ｃと力点Ｆの間隔Ｈを変更可能に構成される。挟みバネ３０を筒体１０の任意の位置に固定して支点Ｃと力点Ｆの間隔Ｈを変更不能にする固定手段を備えることが好ましい。【選択図】  図１
2008044263.tif 000002
【特許請求の範囲】
【請求項１】
外周面後部に枢支部(14)が形成された筒体(10)と、前記筒体(10)に沿って設けられ前記枢支部(14)に枢支される被枢支部(23)が形成され前記枢支部(14)に枢支された前記被枢支部(23)を支点(C)として揺動するクリップ(20)と、前記筒体(10)に取付けられ前記クリップ(20)の前記被枢支部(23)よりも前側の表面に当接部(34,64)を当接させた挟みバネ(30,60)とを備え、前記挟みバネ(30,60)は弾性により前記当接部(34,64)が当接する部分を力点(F)として前記クリップ(20)を前記筒体(10)に押圧する筆記具用クリップの取付構造において、
前記挟みバネ(30,60)は前記筒体(10)の軸方向に移動して前記支点(C)と前記力点(F)の間隔(H)を変更可能に構成されたことを特徴とする筆記具用クリップの取付構造。
【請求項２】
両側に筒体(10)の軸方向に伸びる長溝(16)を有しかつ枢支部(14)が形成された隆起部(11)が筒体(10)の外周に軸方向に伸びて形成され、
挟みバネ(30)は前端に当接部(34)が形成されてクリップ(20)に沿う本体部(31)と前記本体部(31)の後端側両側に前記隆起部(11)を両側から挟むように設けられた脚部(32)とを有し、
前記隆起部(11)を挟んだ前記脚部(32)の先端に前記長溝(16)に挿入される挿入部(33)が形成され、
前記挿入部(33)が前記長溝(16)の内部で前記長溝(16)に沿って移動することにより前記挟みバネ(30)が前記筒体(10)の軸方向に移動可能に構成された
請求項１記載の筆記具用クリップの取付構造。
【請求項３】
挟みバネ(30)を筒体(10)の任意の位置に固定して支点(C)と力点(F)の間隔(H)を変更不能にする固定手段を備えた請求項１又は２記載の筆記具用クリップの取付構造。
【請求項４】
固定手段は挟みバネ(30)の当接部(34)が係合可能な凹部(27)であって、前記凹部(27)は被枢支部(23)よりも前側のクリップ(20)の表面に筒体(10)の軸方向に複数形成され、複数の前記凹部(27)に前記当接部(34)を選択的に係合させることにより前記挟みバネ(30)を前記筒体(10)の任意の位置に固定可能に構成された請求項３記載の筆記具用クリップの取付構造。
【請求項５】
挟みバネ(60)は前端に当接部(64)が形成されてクリップ(20)の表面に沿う平板部(61)と前記平板部(61)の後端側両側に筒体(10)を両側から挟むように設けられた取付脚(62)とを有し、
前記取付脚(62)が前記筒体(10)を両側から挟んだ状態で前記筒体(10)に沿って移動することにより前記挟みバネ(60)が前記筒体(10)の軸方向に移動可能に構成された
請求項１記載の筆記具用クリップの取付構造。
【請求項６】
挟みバネ(60)を筒体(10)の任意の位置に固定して支点(C)と力点(F)の間隔(H)を変更不能にする固定手段を備えた請求項５記載の筆記具用クリップの取付構造。
【請求項７】
固定手段は挟みバネ(60)の当接部(64)が係合可能な凹部(27)であって、前記凹部(27)は被枢支部(23)よりも前側のクリップ(20)の表面に筒体(10)の軸方向に複数形成され、複数の前記凹部(27)に前記当接部(64)を選択的に係合させることにより前記挟みバネ(60)を前記筒体(10)の任意の位置に固定可能に構成された請求項６記載の筆記具用クリップの取付構造。
【発明の詳細な説明】
【技術分野】
【０００１】
本発明は、筆記具における軸筒やキャップ等の筒体に挟みバネを介してクリップを取付ける筆記具用クリップの取付構造に関するものである。
【背景技術】
【０００２】
従来、筆記具における軸筒やキャップ等の筒体にクリップを取付ける構造として、バネ用鋼板を折り曲げることにより形成された略Ｕ字状の挟みバネを用いることが提案されている（例えば、特許文献１参照。）。この取付構造では、筒体の表面側に略Ｕ字状に形成された挟みバネの一端側を、その筒体の頂部側に形成された挿入孔に挿入して固定し、その挟みバネの他端側を筒体の表面に沿わしめ、その挟みバネの他端側と筒体の間にクリップを介装させて筒体に揺動可能に取付け、挟みバネの他端における当接部を揺動する支点よりも前側のクリップの表面に当接させて、挟みバネの弾性力によりクリップの前端部が筒体表面に押圧されるように構成している。
【０００３】
また、筒体にクリップを取付ける構造として、線材を折り曲げることにより作られた挟みバネを用いることも提案されている（例えば、特許文献２参照。）。この挟みバネは、線材の中間部を半円状に折り曲げてＵ字形部を形成し、この２つに折り曲げられた脚部の中間を更に内側に折り曲げることにより構成される。そして、クリップの表面にＵ字形の溝部を形成するとともに、この溝部の後端に開口孔を形成し、このＵ字形の溝部の前端と後端の間の裏面に下方に突出した突部を形成している。一方、筒体の後部には隆起部を形成し、この隆起部の上面に凹部を形成するとともに両側に溝部を形成している。この取付構造では、クリップのＵ字形の溝部に挟みバネのＵ字形部からなる当接部を配置し、かつ、クリップの開口孔に挿通して下方に突出したバネの脚部を筒体の隆起部の両側に形成された溝部にそれぞれ挿入し、筒体の凹部に押されたクリップの突部を支点としてバネの弾力によりクリップの受部が筒体の表面に押圧されるとともに、クリップの後部を突部より適宜後方に伸ばすように構成している。
【０００４】
これらの取付構造では、筒体に沿って設けられたクリップは筒体の枢支部に枢支される被枢支部を支点として揺動し、筒体に取付けられて支点よりも前側のクリップの表面に当接部を当接させた挟みバネの付勢力により、その挟みバネは弾性により当接部が当接する部分を力点としてクリップを筒体に押圧している。このため、支点よりも後側のクリップの後部を筒体側に押し込むとクリップの前端と筒体との間は拡開され、そのように拡開されたクリップの前端と筒体との間に挿入されたものを、クリップの後部における押し込みを解除することによりクリップの前端と筒体との間で挟むようになっている。
【特許文献１】特開２００１−１４６０９４号公報（明細書［０００５］）
【特許文献２】特開２００６−１９２７２４号公報（明細書［０００４］〜［０００６］）
【発明の開示】
【発明が解決しようとする課題】
【０００５】
しかし、上記従来の取付構造では、クリップの前端と筒体との間に挿入されたものを挟む力を変更することが困難であるという不具合があった。即ち、筒体に揺動可能に取付けられたクリップは支点と前端との間に挟みバネにおける当接部が当接してそのバネの弾力により、クリップの前端と筒体との間に挿入されたものを挟むことになるけれども、その挟む力はバネの弾性力に起因することになる。一方、このクリップを用いて筆記具を固定する箇所としては、上衣の胸ポケットや、鞄のポケット等が挙げられる。
【０００６】
しかし、クリップの前端と筒体との間に挿入される胸ポケットの厚さや、鞄におけるポケットの厚さはその生地により異なり、冬であれば比較的厚手の背広のポケットに筆記具を固定する必要が生じ、夏であればワイシャツの比較的生地の薄い胸ポケットで足りることになる。従って、比較的厚手のものに筆記具を取付けるためには、クリップの前端と筒体との間を比較的大きく拡開させる必要が生じ、挟みバネの付勢力が比較的強い場合には、その拡開が困難になる不具合があった。一方、比較的薄いものを挟む場合には、クリップの前端と筒体との間を比較的大きく拡開させる必要はないけれども、挟みバネの付勢力が比較的弱い場合には、クリップの前端と筒体との間に挿入されたものを挟む力も弱くなって、筆記具をその薄い生地に固定することが困難になる不具合がある。
【０００７】
よって、クリップの前端と筒体との間に挿入されたものを挟む力をその挟むものによって変更調整することが望まれるけれども、上記従来の筆記具用クリップの取付構造では、その挟む力を変更するためには弾性力の異なる複数種類の挟みバネを準備し、その用途に応じて取り替えて使用しなければならない不具合があった。そして、弾性力の異なる挟みバネを複数種類準備することは部品点数の増加から、部品の管理負担を増加させる不具合もある。
本発明の目的は、挟みバネの種類を増加させることなく、クリップが筒体とともに挟む力を調整し得る筆記具用クリップの取付構造を提供することにある。
【課題を解決するための手段】
【０００８】
請求項１に係る発明は、図１に示すように、外周面後部に枢支部１４が形成された筒体１０と、筒体１０に沿って設けられ枢支部１４に枢支される被枢支部２３が形成され枢支部１４に枢支された被枢支部２３を支点Ｃとして揺動するクリップ２０と、筒体１０に取付けられクリップ２０の被枢支部２３よりも前側の表面に当接部３４を当接させた挟みバネ３０とを備え、挟みバネ３０は弾性により当接部３４が当接する部分を力点Ｆとしてクリップ２０を筒体１０に押圧する筆記具用クリップの取付構造の改良である。
その特徴ある構成は、挟みバネ３０は筒体１０の軸方向に移動して支点Ｃと力点Ｆの間隔Ｈを変更可能に構成されたところにある。
【０００９】
筒体１０に揺動可能に取付けられたクリップ２０において、そのクリップ２０の前端と筒体１０との間に挿入されたものを挟む力は、挟みバネ３０の弾性力を一定とすると、てこの原理から枢支部１４に枢支された被枢支部２３からなる支点Ｃと挟みバネ３０における当接部３４が当接する部分からなる力点Ｆとの間隔Ｈに比例することになる。してみると、この請求項１に記載された筆記具用クリップの取付構造では、挟みバネ３０を筒体１０の軸方向に移動して支点Ｃと力点Ｆの間隔Ｈを変更可能に構成したので、その間隔Ｈを変更させることにより、挟みバネ３０の種類を増加させることなく、クリップ２０が筒体１０とともに挟む力を調整することが可能になる。
【００１０】
請求項２に係る発明は、請求項１に係る発明であって、両側に筒体１０の軸方向に伸びる長溝１６を有しかつ枢支部１４が形成された隆起部１１が筒体１０の外周に軸方向に伸びて形成され、挟みバネ３０は前端に当接部３４が形成されてクリップ２０に沿う本体部３１と本体部３１の後端側両側に隆起部１１を両側から挟むように設けられた脚部３２とを有し、隆起部１１を挟んだ脚部３２の先端に長溝１６に挿入される挿入部３３が形成され、挿入部３３が長溝１６の内部で長溝１６に沿って移動することにより挟みバネ３０が筒体１０の軸方向に移動可能に構成されたことを特徴とする。
この請求項２に記載された筆記具用クリップの取付構造では、挿入部３３を長溝１６の内部でその長溝１６に沿って移動させることにより挟みバネ３０を筒体１０の軸方向に移動させることができ、クリップ２０の前端が筒体１０とともに挟む力を比較的容易に調整することができる。
【００１１】
請求項５に係る発明は、請求項１に係る発明であって、図１４に示すように、挟みバネ６０は前端に当接部６４が形成されてクリップ２０の表面に沿う平板部６１と平板部６１の後端側両側に筒体１０を両側から挟むように設けられた取付脚６２とを有し、取付脚６２が筒体１０を両側から挟んだ状態で筒体１０に沿って移動することにより挟みバネ６０が筒体１０の軸方向に移動可能に構成されたことを特徴とする。
この請求項５に記載された筆記具用クリップの取付構造では、筒体１０を両側から挟んだ取付脚６２を筒体１０に沿って移動させることにより挟みバネ６０を筒体１０の軸方向に移動させることができ、クリップ２０の前端が筒体１０とともに挟む力を比較的容易に調整することができる。
【００１２】
請求項３に係る発明は、請求項１又は２に係る発明であって、挟みバネ３０を筒体１０の任意の位置に固定して支点Ｃと力点Ｆの間隔Ｈを変更不能にする固定手段を備えたことを特徴とする。
請求項６に係る発明は、請求項５に係る発明であって、挟みバネ６０を筒体１０の任意の位置に固定して支点Ｃと力点Ｆの間隔Ｈを変更不能にする固定手段を備えたことを特徴とする。
この請求項３及び請求項６に記載された筆記具用クリップの取付構造では、クリップ２０の前端が筒体１０とともに挟む力を調整した後、固定手段により挟みバネ３０，６０を固定することにより、支点Ｃと力点Ｆの間隔Ｈを変更不能にして、調整された挟む力を維持することができる。
【００１３】
請求項４に係る発明は、請求項３に係る発明であって、固定手段が挟みバネ３０の当接部３４が係合可能な凹部２７であって、凹部２７は被枢支部２３よりも前側のクリップ２０の表面に筒体１０の軸方向に複数形成され、複数の凹部２７に当接部３４を選択的に係合させることにより挟みバネ３０を筒体１０の任意の位置に固定可能に構成されたことを特徴とする。
請求項７に係る発明は、請求項６に係る発明であって、固定手段が挟みバネ６０の当接部６４が係合可能な凹部２７であって、凹部２７は被枢支部２３よりも前側のクリップ２０の表面に筒体１０の軸方向に複数形成され、複数の凹部２７に当接部６４を選択的に係合させることにより挟みバネ６０を筒体１０の任意の位置に固定可能に構成されたことを特徴とする。
この請求項４及び請求項７に記載された筆記具用クリップの取付構造では、クリップ２０の前端が筒体１０とともに挟む力を調整した後、複数の凹部２７，６７に当接部３４，６４を選択的に係合させることにより、調整された挟む力を比較的容易に維持することができる。
【発明の効果】
【００１４】
本発明の筆記具用クリップの取付構造では、挟みバネは筒体の軸方向に移動して揺動するクリップの支点と挟みバネの弾性により当接部が当接する部分における力点との間隔を変更可能に構成したので、てこの原理から、その間隔を変更させることにより、クリップの前端が筒体とともに挟む力を調整することができる。従って、クリップが筒体とともに挟む力を調整するために、挟みバネの種類を増加させることを必要としない。
【００１５】
この場合、挟みバネを筒体の任意の位置に固定して支点と力点の間隔を変更不能にする固定手段を備えれば、クリップの前端が筒体とともに挟む力を調整した後、固定手段により挟みバネを固定することにより、支点と力点の間隔を変更不能にして、調整されたクリップの前端が筒体とともに挟む力を維持することができる。そして、固定手段が挟みバネの当接部が係合可能な凹部であって、その凹部を被枢支部よりも前側のクリップの表面に筒体の軸方向に複数形成し、複数の凹部に当接部を選択的に係合させるようにすれば、クリップの前端が筒体とともに挟む力を調整した後、複数の凹部に当接部を選択的に係合させることにより、調整された挟む力を比較的容易に維持することができる。
【発明を実施するための最良の形態】
【００１６】
次に本発明を実施するための最良の形態を図面に基づいて説明する。
図１〜５に示すように、本発明の筆記具用クリップの取付構造は、筒体１０に挟みバネ３０を介してクリップ２０を取付ける構造であって、この実施の形態における筒体１０は筆記具におけるキャップである。この筒体１０の外表面には、その軸方向に伸びる隆起部１１が、この例では筒体１０の全長に形成される。この隆起部１１の後部には一対のフランジ１２が互いに平行に形成され、この一対のフランジ１２には筒体１０の軸方向に直交する中心軸の孔１２ａが同軸にそれぞれ形成される。また、この隆起部１１の後部中央には、その一対のフランジ１２に連続して突出部１３が筒体１０の軸方向に形成され、この突出部１３における表面には、断面が半円状の凹溝が筒体１０の軸方向に直交して形成され、この凹溝により枢支部１４が形成される。そして、この隆起部１１の両側には、長溝１６が筒体１０の軸方向に伸びてそれぞれ形成される。
【００１７】
クリップ２０は樹脂成型品であって、隆起部１１の幅と同一又はその隆起部１１の幅よりわずかに小さな幅であって、長手方向にわずかに湾曲するクリップ本体２１を備える。クリップ本体２１の全長はその隆起部１１の長さと略同一に形成され、このクリップ本体２１は隆起部１１の表面に筒体１０に沿って湾曲した中間部分が外方に膨出するように設けられる。クリップ本体２１の突出部１３に対向する部分には、その突出部１３を挟むように一対の挟み片２２がクリップ本体２１の両側に形成される。一対の挟み片２２の間には、この一対の挟み片２２を連結するように断面が半円状の凸条２３がクリップ本体２１の幅方向に形成される。この断面半円状の凸条２３は隆起部１１の表面に形成された凹溝からなる枢支部１４に枢支される被枢支部２３を構成し、クリップ本体２１を隆起部１１の表面に沿わせると、この被枢支部２３である凸条が枢支部１４である凹溝に挿入し、これによりクリップ２０は枢支部１４に枢支される被枢支部２３を支点Ｃ（図１）として揺動可能に構成される。そして、クリップ本体２１の前端部分には、筒体１０に向かって膨出する円弧状の膨出部２４が形成され、クリップ本体２１の被枢支部２３より後方の部分には、このクリップ２０を拡開させるための操作部２６が形成される。
【００１８】
挟みバネ３０は、バネ用鋼板を板金加工することにより作られ、クリップ本体２１の表面に沿う本体部３１と、その本体部３１の後端側両側に筒体１０における隆起部１１を両側から挟むように設けられた脚部３２が板金加工により一体的に形成される。隆起部１１を挟んだ脚部３２の先端は折り曲げられて、隆起部１１の両側に筒体１０の軸方向に形成された長溝１６に挿入される挿入部３３がそれぞれ形成される。そして、その挿入部３３を長溝１６に挿入することにより、この挟みバネ３０は筒体１０に取付けられる。
【００１９】
一方、挟みバネ３０には、クリップ２０の被枢支部２３よりも前側の表面に当接する当接部３４が形成される。この実施の形態における当接部３４は、挟みバネ３０を構成する本体部３１のクリップ２０に当接する前端部に形成され、この当接部３４はその本体部３１の前端を谷折りし更に山折りしてＶ字状に折り曲げることにより作られる。そして、この挟みバネ３０が筒体１０に取付けられると、本体部３１の前端に形成された当接部３４は被枢支部２３よりも前側のクリップ本体２１の表面に当接し、この挟みバネ３０はその当接部３４が当接する部分を力点Ｆ（図１）としてクリップ２０を筒体１０に押圧するように構成される。
【００２０】
隆起部１１の両側に形成される長溝１６の長さはその長溝１６に挿入される挿入部３３の長さより長く形成され、長溝１６に挿入された挿入部３３はその長溝１６の内部でその長溝１６に沿って移動可能に構成される。そして、挿入部３３が長溝１６に沿って移動することにより、挟みバネ３０は筒体１０に対してその筒体１０の軸方向に移動し、筒体１０の枢支部１４に枢支される被枢支部２３からなる支点Ｃと、挟みバネ３０における本体部３１の前端に形成された当接部３４が当接する部分からなる力点Ｆとの間隔Ｈ（図１）を変更可能に構成される。
【００２１】
また、この取付構造では、支点Ｃと力点Ｆの間隔Ｈを変更調整した後に、挟みバネ３０をその調整された筒体１０の任意の位置に固定して支点Ｃと力点Ｆの間隔Ｈを変更不能にする固定手段が設けられる。この実施の形態における固定手段は、クリップ２０の表面に形成された凹部２７により構成される。この凹部２７は、挟みバネ３０のＶ字状に折り曲げられた当接部３４が係合可能に構成され、この凹部２７はクリップ２０における被枢支部２３よりも前側のクリップ本体２１の表面に形成される。この凹部２７は、クリップ本体２１の表面にその長手方向に形成された溝部２８の前端側に形成され、この溝部２８には挟みバネ３０における本体部３１が挿入可能に構成される。この凹部２７は、その溝部２８の前端部分において筒体１０の軸方向に複数、この実施の形態では３カ所形成され、この複数の凹部２７のいずれかに当接部３４を選択的に係合させることにより、挟みバネ３０は筒体１０の軸方向の移動が禁止され、その挟みバネ３０をその位置に固定可能に構成される。
【００２２】
このようなクリップの取付構造では、筒体１０に沿って設けられたクリップ２０は筒体１０の枢支部１４に枢支される被枢支部２３を支点Ｃとして図１の状態から図４に示すように揺動し、筒体１０に取付けられてその当接部３４を支点Ｃよりも前側のクリップ２０の表面に当接させた挟みバネ３０は、その弾性により当接部３４が当接する部分を力点Ｆとしてクリップ２０を筒体１０に押圧する。このため、クリップ１０の後部における操作部２６を筒体１０側に押し込むと、図４に示すように、クリップ２０の前端における膨出部２４と筒体１０の外表面との間を拡開させることができる。そして、その膨出部２４と筒体１０との間にこの筆記具を止める部分を挿入してクリップ２０の後部における操作部２６の押し込みを解除することにより、クリップ２０の前端における膨出部２４は挟みバネ３０弾性力により筒体１０に押しつけられ、その間に挿入されたものを挟むことができる。
【００２３】
ここで、筒体１０に揺動可能に取付けられたクリップ２０において、そのクリップ２０の前端における膨出部２４と筒体１０との間に挿入されたものを挟む力は、挟みバネ３０の弾性力が一定であることから、てこの原理により枢支部１４に枢支された被枢支部２３からなる支点Ｃと挟みバネ３０における当接部３４が当接する部分からなる力点Ｆとの間隔Ｈに比例することになる。してみると、本発明の筆記具用クリップの取付構造では、挟みバネ３０を筒体１０の軸方向に移動して支点Ｃと力点Ｆの間隔Ｈを変更可能に構成したので、その間隔Ｈを変更させることにより、挟みバネ３０の種類を増加させることなく、クリップ２０の前端における膨出部２４が筒体１０とともに挟む力を調整することが可能になる。
【００２４】
このため、例えば、冬であって比較的厚手の背広のポケットに筆記具を固定する必要が生じた場合には、図６及び図７に示すように、挟みバネ３０を筒体１０の軸方向にその後方に移動して支点Ｃと力点Ｆの間隔Ｈを減少させると、クリップ２０の前端における膨出部２４が筒体１０とともに挟む力が弱くなり、クリップ２０の前端と筒体１０との間を大きく拡開させることを比較的容易に行わせることが可能になる。一方、夏であればワイシャツの比較的生地の薄い胸ポケットで足りることになるので、図８及び図９に示すように、挟みバネ３０を筒体１０の軸方向にその前方に移動して支点Ｃと力点Ｆの間隔Ｈを増加させると、クリップ２０の前端における膨出部２４が筒体１０とともに挟む力は強くなり、薄手の生地からなるワイシャツの胸ポケット等にその筆記具を確実に固定させることができる。
【００２５】
なお、上述した実施の形態では、筒体１０に枢支部１４を構成する凹溝を形成し、この凹溝に枢支される凸条を被枢支部２３としてクリップに形成した例を説明したが、図１０及び図１１に示すように、筒体１０の外周面後部に形成される枢支部は、その隆起部１１を介して形成された突出部１３の両側に同軸に形成された枢支ピン１７であっても良い。この場合には、クリップ２０における一対の挟み片２２にその枢支ピン１７が挿通される枢支孔２９を形成し、この枢支孔を枢支ピンからなる枢支部１７に枢支される被枢支部２９とすることができる。このような構成であれば、枢支部である枢支ピン１７に枢支された被枢支部である枢支孔２９を支点としてクリップ２０を揺動させることができる。
【００２６】
また、上述した実施の形態では、バネ用鋼板を板金加工することにより作られた挟みバネ３０を用いて説明したが、図１２及び図１３に示すように、挟みバネ３０は、バネ用鋼線を折り曲げ加工したものであっても良い。図に示す挟みバネ３０は、バネ用鋼線の中間部を半円状に折り曲げてＵ字形からなる本体部３１を形成し、この２つに折り曲げられて互いに平行になる中間を更に内側に折り曲げることにより脚部３２が形成される。そして本体部３１におけるＵ字形に曲げられた前端部分がクリップ２０の表面に形成されたの凹部２７に係合する当接部３４を形成し、脚部３２から前方に伸びる両端部により挿入部３３が形成される。そして、この挿入部３３が筒体１０の隆起部１１の両側に形成された長溝１６にそれぞれ挿入される。このようにバネ用鋼線を折り曲げ加工した挟みバネ３０であっても、その挿入部３３を長溝１６の内部で長溝１６に沿って実線矢印や破線矢印で示すように移動させることにより、挟みバネ３０を筒体１０の軸方向に移動させることができ、クリップ２０の前端が筒体１０とともに挟む力を比較的容易に調整することができる。
【００２７】
また、上述した実施の形態では、挟みバネ３０における挿入部３３が筒体１０の隆起部１１に形成された長溝１６の内部で長溝１６に沿って移動する場合を説明したが、挟みバネが筒体１０の軸方向に移動可能である限り、長溝１６や挿入部３３の有無は問題としない。例えば、図１４〜図１６に示すように、挟みバネ６０は前端に当接部６４が形成されてクリップ２０の表面に沿う平板部６１と平板部６１の後端側両側に筒体１０を両側から挟むように設けられた取付脚６２とを有するようなものであっても良い。この取付脚６２はその弾性により筒体１０を両側から挟みつけるように構成され、この取付脚６２が筒体１０を挟んだ状態で筒体１０に沿って移動可能に構成される。このような構造であっても、取付脚６２が筒体１０に沿って移動すると、それにより挟みバネ６０の全体が筒体１０の軸方向に移動し、クリップ２０の前端が筒体１０とともに挟む力を比較的容易に調整することができる。
【００２８】
更に、上述した実施の形態では、３カ所の凹部２７からなる固定手段を説明したが、クリップ２０が筒体１０とともに挟む力を調整した後、その調整された挟む力を維持することができる限りこの固定手段は凹部２７に限定されない。このため、長溝１６に挿入された挟みバネ３０における挿入部３３や、筒体１０を両側から挟んだ挟みバネ６０における取付脚６２の摺動抵抗により、その挟みバネ３０の筒体１０に対する移動を防止して、クリップ２０が筒体１０とともに挟む力を維持するようにしても良い。また、凹部２７からなる固定手段を用いる場合であっても、その凹部２７の数は３カ所に限定されるものではなく、凹部２７を２カ所形成しても良く、４カ所形成しても良い。
【図面の簡単な説明】
【００２９】
【図１】本発明実施形態の筆記具用クリップの取付構造を示す側面図である。
【図２】その上面図である。
【図３】図１のＡ−Ａ線断面図である。
【図４】そのクリップが揺動してその前端が筒体の表面から離れた状態を示す図１に対応する側面図である。
【図５】その取付構造を示す分解斜視図である。
【図６】挟みバネが移動して支点と力点の間隔を減少させた状態を示す図１に対応する側面図である。
【図７】そのクリップが揺動してその前端が筒体の表面から離れた状態を示す図６に対応する側面図である。
【図８】挟みバネが移動して支点と力点の間隔を増加させた状態を示す図１に対応する側面図である。
【図９】そのクリップが揺動してその前端が筒体の表面から離れた状態を示す図８に対応する側面図である。
【図１０】枢支ピンからなる収支部とその枢支ピンが挿通される枢支孔からなる被枢支部を示す図１に対応する側面図である。
【図１１】図１０のＢ−Ｂ線断面図である。
【図１２】挟みバネが鋼線からなる図１に対応する側面図である。
【図１３】その上面図である。
【図１４】挟みバネが弾性により筒体を両側から挟みつける取付脚を有する図１に対応する側面図である。
【図１５】その上面図である。
【図１６】それを後方からみた一部断面図である。
【符号の説明】
【００３０】
１０  筒体
１１  隆起部
１４  枢支部
１６  長溝
２０  クリップ
２３  被枢支部
２７  凹部（固定手段）
３０  挟みバネ
３１  本体部
３２  脚部
３３  挿入部
３４  当接部
６０  挟みバネ
６１  平板部
６２  取付脚
６４  当接部
Ｃ  支点
Ｆ  力点
Ｈ  支点と力点の間隔
【図１】
2008044263.tif 000003
【図２】
2008044263.tif 000004
【図３】
2008044263.tif 000005
【図４】
2008044263.tif 000006
【図５】
2008044263.tif 000007
【図６】
2008044263.tif 000008
【図７】
2008044263.tif 000009
【図８】
2008044263.tif 000010
【図９】
2008044263.tif 000011
【図１０】
2008044263.tif 000012
【図１１】
2008044263.tif 000013
【図１２】
2008044263.tif 000014
【図１３】
2008044263.tif 000015
【図１４】
2008044263.tif 000016
【図１５】
2008044263.tif 000017
【図１６】
2008044263.tif 000018